(57)【要約】【課題】アナログＴＶ放送波のオフセット量が不確定でも、復調したデジタル放送信号を同期キャリアに同期させてアナログ変調できる再送信装置を提供する。【解決手段】入力分配部１１は、地上デジタルＴＶ放送波をデジタル放送復調部１２ａ、１２ｂ、…に分配すると共に所定周波数オフセットしているアナログＴＶ放送波をキャリア抽出部１４ａ、１４ｂ、…に分配する。キャリア抽出部１４ａ、１４ｂ、…は、アナログＴＶ放送波を中間周波信号に変換した後、映像中間周波バンドパスフィルタにて音声キャリア信号と他のチャンネルの信号を取り除いてＡＭ変調成分を除去した後、ＰＬＬキャリア生成部にて同期キャリア信号を生成する。アナログ変調部１３ａ、１３ｂ、…は、デジタル放送復調部１２で復調された信号で上記同期キャリア信号をアナログ変調し、所定の周波数に変換して再送信信号として出力する。【選択図】図１
2011019181.tif 000002
【特許請求の範囲】
【請求項１】
デジタルＴＶ放送波を受信して映像信号及び音声信号に復調し、所定周波数オフセットされているアナログＴＶ放送波に同期して前記映像信号及び音声信号をアナログ変調し伝送ラインにより再送信する再送信装置であって、
前記デジタルＴＶ放送波の映像信号及び音声信号を復調するデジタル放送復調部と、
アナログＴＶ放送波の映像キャリア信号を抽出し、該映像キャリア信号に基づいて同期キャリア信号を生成するキャリア抽出部と、
前記デジタル放送復調部で復調された映像信号で前記同期キャリア信号をアナログ変調し、前記アナログＴＶ放送波の周波数帯に変換して再送信信号として出力するアナログ変調部とを具備し、
前記キャリア抽出部は、
前記受信したアナログＴＶ放送波を中間周波信号に変換する周波数変換部と、前記周波数変換部で変換された中間周波信号から不要な信号を取り除いてアナログ映像キャリアの同期信号や、カラーバースト信号などのアナログＴＶ放送波特有の信号成分を残した信号を取り出す映像中間周波バンドパスフィルタと、前記映像中間周波バンドパスフィルタの出力信号からＡＭ変調成分を除去するリミッタ増幅器と、前記リミッタ増幅器の出力信号に基づいて同期キャリア信号を生成し前記アナログ変調部へ出力する同期キャリア生成部と、
を備えたことを特徴とする再送信装置。
【請求項２】
デジタルＴＶ放送波を受信して映像信号及び音声信号に復調し、所定周波数オフセットされているアナログＴＶ放送波に同期して前記映像信号及び音声信号をアナログ変調し伝送ラインにより再送信する再送信装置であって、
前記デジタルＴＶ放送波の映像信号及び音声信号を復調するデジタル放送復調部と、
アナログＴＶ放送波の映像キャリア信号を抽出し、該映像キャリア信号に基づいて同期キャリア信号を生成するキャリア抽出部と、
前記キャリア抽出部と無関係に内部キャリア信号を発生する内部キャリア発生部と、
前記デジタル放送復調部で復調された映像信号で前記キャリア抽出部で生成された同期キャリア信号又は前記内部キャリア発生部から出力される内部キャリア信号をアナログ変調し、前記アナログＴＶ放送波の周波数帯に変換して再送信信号として出力するアナログ変調部とを具備し、
前記キャリア抽出部は、
前記受信したアナログＴＶ放送波を中間周波信号に変換する周波数変換部と、前記周波数変換部で変換された中間周波信号から不要な信号を取り除いてアナログ映像キャリアの同期信号や、カラーバースト信号などのアナログＴＶ放送波特有の信号成分を残した信号を取り出す映像中間周波バンドパスフィルタと、前記映像中間周波バンドパスフィルタの出力信号からＡＭ変調成分を除去するリミッタ増幅器と、前記リミッタ増幅器の出力信号に基づいて同期キャリア信号を生成する同期キャリア生成部と、前記同期キャリア信号とは無関係に内部キャリア信号を出力する内部キャリア発生部と、前記映像中間周波バンドパスフィルタの出力信号からアナログＴＶ信号の有無を判定するアナログＴＶ信号判定手段と、前記アナログＴＶ信号判定手段の判定結果に基づいて切替制御され、前記アナログＴＶ信号が存在している状態では前記同期キャリア生成部の出力信号を選択し、前記アナログＴＶ信号が存在しない状態では前記内部キャリア発生部の出力信号を選択して前記アナログ変調部へ出力する切替手段と、
を備えたことを特徴とする再送信装置。
【発明の詳細な説明】
【技術分野】
【０００１】
本発明は、テレビ放送の共同受信システムにおいて、例えば地上デジタル放送等のデジタルＴＶ放送波を受信し、アナログＴＶ放送波に変換して再送信する再送信装置に関する。
【背景技術】
【０００２】
近年、世界的にテレビ放送のデジタル化が進行している。わが国では地上デジタル放送転換のため、２０１１年７月２４日にアナログテレビ放送の停波が予定されており、それ以降はアナログテレビ受像機ではテレビ放送を受信できなくなる。地上デジタルＴＶ放送を受信するためには、デジタルＴＶ放送に対応したテレビ受像機を購入するか、地上デジタル・チューナを購入する必要がある。
【０００３】
しかしながら、病院、学校、ホテル等の施設に既に導入されているアナログＴＶ放送対応の構内テレビ受像機については、その多数設置されているテレビ受像機を一度に交換・更新することは多額の設備投資になる。
【０００４】
そこで、地上デジタルＴＶ放送波をアナログＴＶ放送波に変換して再送信する再送信装置（共同視聴設備）を設置し、アナログＴＶ放送が停波された後においても、アナログＴＶ放送対応のテレビ受像機によるテレビ放送の受信を可能とすることが行われている。
【０００５】
上記再送信装置では、デジタルＴＶ放送波がアナログＴＶ放送波に変換されて再送信されるが、強電界と言われる地域、即ち放送局から近く、テレビジョン放送の電界が非常に強い地域では、現用のアナログテレビ受像機にプリセットされているチャンネルに再送信装置の出力チャンネルを設定した場合、アナログＴＶ放送波の電波がテレビジョン受信機内の復調部に混入して垂直同期が乱れ、画面に横縞の障害(ビート障害)が現れる。これは再送信装置から再送信される信号の周波数と上記のアナログＴＶ放送波の周波数がずれている為に生じる。
【０００６】
また、アナログＴＶ放送波は、上記同一チャンネル障害を軽減する目的で、中継局などからの放送波を他の局の同一チャンネル信号周波数に対して±１０ｋＨｚ等の周波数オフセットを行って伝送する場合がある。
【０００７】
従来の同期機能を備えた再送信装置では、同期したいアナログＴＶ放送波が所定周波数オフセットしている場合、そのオフセット量に合わせて回路設定している。しかし、オフセット量が確定していない場合は回路設定を行うことができず、また、オフセット量の設定の間違いなどが生じ易いなどの問題があった。
【０００８】
更に、上記アナログＴＶ放送波に同期させる機能は、正しい放送波がある状態では問題ないが、放送波以外の信号や、今後、アナログＴＶ放送を行っているＶＨＦ帯が開放された場合に当該ＶＨＦ帯にアナログＴＶ放送波以外の信号が入ることが想定され、そのような信号が再送信装置に入力された場合は、その放送波以外の信号に同期しようとして誤動作を起こす可能性がある。
【０００９】
また、本発明に関連する公知技術として、共同視聴施設のヘッドエンド装置に利用されるテレビジョン信号処理装置において、受信したテレビ放送波信号の搬送波周波数と全く同一の周波数で再送信すると共に、ゴースト除去、隣接チャンネル伝送の為の音声レベル調整等の各種のテレビ信号処理を行う技術が知られている（例えば、特許文献１参照。）。
【先行技術文献】
【特許文献】
【００１０】
【特許文献１】特開平７−１６２３２４号公報
【発明の概要】
【発明が解決しようとする課題】
【００１１】
上記のように従来の同期機能を備えた再送信装置では、アナログＴＶ放送波のオフセット量が確定していない場合は回路設定を行うことができない。
【００１２】
更に、上記従来の再送信装置では、正しい放送波がある状態では問題ないが、放送波以外の信号や、今後、アナログＴＶ放送で使用されているＶＨＦ帯が開放された場合に当該ＶＨＦ帯にアナログＴＶ放送波以外の信号が入ることが想定され、そのような信号が再送信装置に入力された場合は、その放送波以外の信号に同期しようとして誤動作を起こす可能性がある。
【００１３】
本発明は上記の課題を解決するためになされたもので、アナログＴＶ放送波が一定量オフセットされている場合であっても、また、オフセット量が確定していない場合であっても、自動的に、そのアナログＴＶ放送波に同期したキャリア信号を発生させ、復調されたデジタルＴＶ放送信号で、前記キャリア信号をアナログ変調し再送信信号として出力できる再送信装置を提供することを目的とする。
【００１４】
また、アナログＴＶ信号以外の信号が入力された場合における誤動作を確実に防止することができる再送信装置を提供することを目的とする。
【課題を解決するための手段】
【００１５】
第１の発明は、デジタルＴＶ放送波を受信して映像信号及び音声信号に復調し、所定周波数オフセットされているアナログＴＶ放送波に同期して前記映像信号及び音声信号によりアナログ変調し伝送ラインにより再送信する再送信装置であって、前記デジタルＴＶ放送波を復調するデジタル放送復調部と、アナログＴＶ放送波の映像キャリア信号を抽出し、該映像キャリア信号に基づいて同期キャリア信号を生成するキャリア抽出部と、前記同期キャリア信号をキャリア（搬送波）として前記デジタル放送復調部で復調された映像信号によりアナログ変調し、前記アナログＴＶ放送波の周波数帯に変換して再送信信号として出力するアナログ変調部とを具備し、
前記キャリア抽出部は、前記受信したアナログＴＶ放送波を中間周波信号に変換する周波数変換部と、前記周波数変換部で変換された中間周波信号から不要な信号を取り除いてアナログ映像キャリアの同期信号や、カラーバースト信号などのアナログＴＶ放送波特有の信号成分を残した信号を取り出す映像中間周波バンドパスフィルタと、前記映像中間周波バンドパスフィルタの出力信号からＡＭ変調成分を除去するリミッタ増幅器と、前記リミッタ増幅器の出力信号に基づいて同期キャリア信号を生成し前記アナログ変調部へ出力する同期キャリア生成部とを備えたことを特徴とする。
【００１６】
第２の発明は、デジタルＴＶ放送波を受信して映像信号及び音声信号に復調し、所定周波数オフセットされているアナログＴＶ放送波に同期して前記映像信号及び音声信号でアナログ変調し伝送ラインにより再送信する再送信装置であって、前記デジタルＴＶ放送波を復調するデジタル放送復調部と、アナログＴＶ放送波の映像キャリア信号を抽出し、該映像キャリア信号に基づいて同期キャリア信号を生成するキャリア抽出部と、前記キャリア抽出部と無関係に内部キャリア信号を発生する内部キャリア発生部と、前記デジタル放送復調部で復調された映像信号で前記キャリア抽出部で生成された同期キャリア信号又は前記内部キャリア発生部から出力される内部キャリア信号をアナログ変調し、前記アナログＴＶ放送波の周波数帯に変換して再送信信号として出力するアナログ変調部とを具備し、
前記キャリア抽出部は、前記受信したアナログＴＶ放送波を中間周波信号に変換する周波数変換部と、前記周波数変換部で変換された中間周波信号から不要な信号を取り除いてアナログ映像キャリアの同期信号や、カラーバースト信号などのアナログＴＶ放送波特有の信号成分を残した信号を取り出す映像中間周波バンドパスフィルタと、前記映像中間周波バンドパスフィルタの出力信号からＡＭ変調成分を除去するリミッタ増幅器と、前記リミッタ増幅器の出力信号に基づいて同期キャリア信号を生成する同期キャリア生成部と、前記同期キャリア信号とは無関係に内部キャリア信号を出力する内部キャリア発生部と、前記映像中間周波バンドパスフィルタの出力信号からアナログＴＶ信号の有無を判定するアナログＴＶ信号判定手段と、前記アナログＴＶ信号判定手段の判定結果に基づいて切替制御され、前記アナログＴＶ信号が存在している状態では前記同期キャリア生成部の出力信号を選択し、前記アナログＴＶ信号が存在しない状態では前記内部キャリア発生部の出力信号を選択して前記アナログ変調部へ出力する切替手段とを備えたことを特徴とする。
【発明の効果】
【００１７】
本発明によれば、アナログＴＶ放送波が一定量オフセットされていても、また、オフセット量が確定していない場合であっても、同期キャリア信号を確実に生成でき、復調されたデジタルＴＶ放送信号を同期キャリア信号により自動的に同期させてアナログ変調し、再送信信号として出力することができる。
【００１８】
また、上記同期キャリア信号がアナログＴＶ放送波のものかどうかを自動的に判定し、アナログＴＶ放送波の場合のみＰＬＬキャリア生成部で生成された入力信号に同期した同期キャリア信号をキャリア（搬送波）としてアナログ変調を行い、それ以外の場合は内部キャリア発生部から出力される内部キャリア信号をキャリア（搬送波）としてアナログ変調を行うことにより、アナログＴＶ信号以外の信号が入力された場合における誤動作を確実に防止することができる。
【図面の簡単な説明】
【００１９】
【図１】本発明の実施例１に係る再送信装置の全体の概略構成図である。
【図２】同実施例１における再送信装置のキャリア抽出部及びアナログ変調部の詳細な構成を示すブロック図である。
【発明を実施するための形態】
【００２０】
以下、本発明の実施の形態について図面を参照して詳細に説明する。
【実施例１】
【００２１】
図１は本発明の実施例１に係る再送信装置１０の全体の構成を示すブロック図である。本発明に係る再送信装置１０は、入力分配部１１、デジタル放送復調部１２ａ、１２ｂ、…、アナログ変調部１３ａ、１３ｂ、…、キャリア抽出部１４ａ、１４ｂ、…、及び出力混合部１５により構成される。
【００２２】
上記入力分配部１１は、例えばＵＨＦアンテナにより受信された地上デジタルＴＶ放送波をデジタル放送復調部１２ａ、１２ｂ、…に分配すると共に、ＶＨＦアンテナにより受信されたアナログＴＶ放送波をキャリア抽出部１４ａ、１４ｂ、…に分配する。上記アナログＴＶ放送波は、所定の周波数例えば±１０ｋＨｚオフセットしている。また、入力分配部１１は、上記受信した地上デジタルＴＶ放送波をデジタルパススルー回路１６によりそのまま出力混合部１５へ出力する。
【００２３】
上記デジタル放送復調部１２ａ、１２ｂ、…は、例えばチューナモジュールとＯＦＤＭ復調部ＬＳＩ及びＭＰＥＧデコーダ等により構成され、各地域の地上デジタルＴＶ放送のチャンネル数に十分対応できるだけの数を備えている。デジタル放送復調部１２ａ、１２ｂ、…は、それぞれ各チャンネルの地上デジタルＴＶ放送波の映像信号及び音声信号を復調しアナログ変調部１３ａ、１３ｂ、…へ出力する。
【００２４】
また、キャリア抽出部１４ａ、１４ｂ、…は、詳細を後述するように受信したアナログＴＶ放送波を例えば４５．７５ＭＨｚの中間周波信号に変換した後、映像キャリア信号をチャンネル別に抽出すると共に、この映像キャリア信号に基づいて同期キャリア信号を生成し、アナログ変調部１３ａ、１３ｂ、…へ出力する。このアナログ変調部１３ａ、１３ｂ、…は、映像信号変調部２１、音声信号変調部２２及び周波数変換部２３からなり、上記キャリア抽出部１４ａ、１４ｂ、…により抽出された同期キャリア信号が映像信号変調部２１に入力される。
【００２５】
上記映像信号変調部２１は、デジタル放送復調部１２ａ、１２ｂ、…で復調された映像信号をＮＴＳＣ仕様のＶＳＢ（Vestigial Side Band）−ＡＭで再変調する。映像信号変調部２１は、映像信号を変調する際、上記キャリア抽出部１４から送られてくる同期キャリア信号により変調処理を行い、アナログＴＶ放送波の映像キャリア信号と同期させる。
【００２６】
また、音声信号変調部２２は、デジタル放送復調部１２ａ、１２ｂ、…で復調された音声信号をＦＭ変調し、例えば４１．２５ＭＨｚのＩＦ音声信号に変換する。
【００２７】
周波数変換部２３は、上記映像信号変調部２１で変調された映像信号及び音声信号変調部２２で変調された音声信号を混合した後、上記受信したアナログＴＶ放送のチャンネルと同じ周波数に変換し、有線テレビジョン放送法に準拠したアナログＴＶ放送の映像信号と音声信号を出力混合部１５へ出力する。
【００２８】
出力混合部１５は、アナログ変調部１３ａ、１３ｂ、…で変調された各チャンネルのアナログ信号と入力分配部１１からデジタルパススルー回路１６を介して送られてくるデジタルＴＶ放送波とを混合し、再送信信号として伝送線路（同軸ケーブル）へ出力する。
【００２９】
上記出力混合部１５から伝送線路へ出力される再送信信号は、図示しないが例えば病院、学校、ホテル等において、共聴システムにより、各部屋等に設置されている複数のテレビ受像機に分配される。
【００３０】
次に、上記アナログ変調部１３（１３ａ、１３ｂ、…）及びキャリア抽出部１４（１４ａ、１４ｂ、…）の詳細について、図２を参照して説明する。なお、図２では音声信号変調部２２については省略している。
【００３１】
キャリア抽出部１４は、入力分配部１１により分配されたアナログＴＶ放送波が入力端子３１を介して帯域幅が６ＭＨｚのバンドパスフィルタ（ＢＰＦ）３２に入力される。このバンドパスフィルタ３２は、アナログＴＶ放送波の各チャンネルを選択するためのものであり、選択するチャンネルに応じて周波数帯域が設定される。例えばアナログＴＶ放送波のＣＨ１を選択する場合には９０〜９６ＭＨｚに設定される。
【００３２】
上記バンドパスフィルタ３２で選択された信号は、周波数変換部３３の一方の入力端子に入力される。この周波数変換部３３は、他方の入力端子にアナログ変調部１３のローカル信号発生部２４からローカル信号（局部発振信号）が供給され、上記バンドパスフィルタ３２で選択されたアナログＴＶ放送波を中間周波信号に変換する。
【００３３】
上記周波数変換部３３により変換された中間周波信号は、映像中間周波バンドパスフィルタ３４に入力される。この映像中間周波バンドパスフィルタ３４は、音声キャリア信号及び他チャンネルの信号等の不要波を取り除き、アナログ映像キャリアの同期信号や、カラーバースト信号などのアナログＴＶ放送波特有の信号成分を残した信号を取り出すフィルタであり、映像復調が可能な信号を出力する。映像中間周波バンドパスフィルタ３４は、映像キャリア信号より約「−１．２５、＋３．６ＭＨｚ」の帯域を有し、±１０ｋＨｚ、±２０ｋＨｚのオフセットが掛かっている信号でも信号が減衰せず、オフセット信号にそのまま対応することができる。
【００３４】
上記映像中間周波バンドパスフィルタ３４の出力信号は、リミッタ増幅器３５を介してＰＬＬ同期キャリア生成部３６へ送られる。映像中間周波バンドパスフィルタ３４から出力される信号は、映像キャリア信号とそのＡＭ変調成分を含んでいるが、リミッタ増幅器３５によりＡＭ変調成分が除去され、周波数成分のみが取り出される。ＰＬＬ同期キャリア生成部３６は、リミッタ増幅器３５から出力されるＡＭ変調成分が除去された信号を基準にしてＰＬＬ（Phase-Locked Loop）により同期キャリア信号を生成し、切替スイッチ３７の一方の端子へ出力する。この切替スイッチ３７の他方の端子には、内部キャリア発生部４０で発生させた内部キャリア信号が入力される。
【００３５】
また、上記映像中間周波バンドパスフィルタ３４から出力される信号は、ＡＭ信号復調部３８に入力されて復調され、アナログＴＶ信号判定部３９へ送られる。映像中間周波バンドパスフィルタ３４の出力信号には、映像成分が含まれているので、ＡＭ信号復調部３８にて復調することにより、映像信号を取り出すことができる。アナログＴＶ信号判定部３９は、ＡＭ信号復調部３８で復調された信号にアナログＴＶ信号特有の周波数１５．７３４・・ｋＨｚの同期信号が含まれているかどうかを確認することで、その信号がアナログＴＶ信号であるかを判定する。この場合、ＡＭ信号復調部３８で復調された信号中に３．５８ＭＨｚのカラーバースト信号が存在するかどうかを確認することでも、アナログＴＶ信号かどうかを判定することができる。また、上記２つの判定方法を組み合わせ、ＡＭ信号復調部３８で復調された信号がアナログＴＶ信号かどうかを判定するようにしてもよい。
【００３６】
そして、上記アナログＴＶ信号判定部３９は、信号の判定結果に基づいて切替スイッチ３７を切替制御し、ＰＬＬ同期キャリア生成部３６で生成された同期キャリア信号あるいは内部キャリア発生部４０から出力される内部キャリア信号を映像信号変調部２１へ出力する。すなわち、アナログＴＶ信号判定部３９は、復調された信号がアナログＴＶ信号である場合には切替スイッチ３７をＰＬＬ同期キャリア生成部３６側に切替え、ＰＬＬ同期キャリア生成部３６で生成された同期キャリア信号を映像信号変調部２１へ出力し、復調された信号がアナログＴＶ信号でない場合には切替スイッチ３７を内部キャリア発生部４０側に切替え、内部キャリア発生部４０から出力される内部キャリア信号を映像信号変調部２１へ出力する。
【００３７】
上記映像信号変調部２１には、デジタル放送復調部１２で復調された映像信号が入力される。映像信号変調部２１は、デジタル放送復調部１２で復調された映像信号でアナログ変調し、周波数変換部２３へ出力する。この周波数変換部２３には、図１に示したように音声信号変調部２２で変調された音声信号が入力される。周波数変換部２３は、映像信号変調部２１で変調された映像信号及び音声信号変調部２２で変調された音声信号を混合した後、更にローカル信号発生部２４から出力されるローカル信号を混合して上記入力端子３１に入力されたアナログＴＶ放送波と同じ周波数に変換し、バンドパスフィルタ（ＢＰＦ）２５及び出力端子２６を介して図１に示した出力混合部１５へ出力する。
【００３８】
上記バンドパスフィルタ２５は６ＭＨｚの帯域幅を有しているが、その周波数帯域は上記キャリア抽出部１４におけるバンドパスフィルタ３２と同様に各チャンネルに応じて設定される。
【００３９】
上記の構成において、アナログＴＶ放送が行われている状態では、所定周波数オフセットされているアナログＴＶ放送波がキャリア抽出部１４の入力端子３１に入力され、バンドパスフィルタ３２により所定チャンネルの信号が選択されて周波数変換部３３へ送られる。周波数変換部３３は、バンドパスフィルタ３２で選択された各チャンネルのアナログＴＶ放送波とローカル信号発生部２４から送られてくるローカル信号とを混合し、映像ＩＦ信号に変換して映像中間周波バンドパスフィルタ３４へ出力する。
【００４０】
上記映像中間周波バンドパスフィルタ３４は、上記したように±１０ｋＨｚ、±２０ｋＨｚのオフセットが掛かっている信号でも、オフセット信号にそのまま対応でき、音声キャリア信号と他のチャンネルの信号を取り除き、アナログ映像キャリアの同期信号や、カラーバースト信号などのアナログＴＶ放送波特有の信号成分を残した信号を出力する。
【００４１】
上記映像中間周波バンドパスフィルタ３４の出力信号には、映像キャリア信号とそのＡＭ変調成分が含まれているが、リミッタ増幅器３５によりＡＭ成分が除去され、周波数成分のみが取り出されてＰＬＬ同期キャリア生成部３６へ送られる。ＰＬＬ同期キャリア生成部３６は、ＡＭ成分が除去された信号を基準にしてＰＬＬにより同期キャリア信号を生成する。
【００４２】
また一方、上記映像中間周波バンドパスフィルタ３４から出力される信号は、ＡＭ信号復調部３８により復調されて映像信号が取り出され、アナログＴＶ信号判定部３９へ送られる。アナログＴＶ信号判定部３９は、ＡＭ信号復調部３８で復調された信号がアナログＴＶ信号であるかどうかを判定し、アナログＴＶ信号であれば切替スイッチ３７をＰＬＬ同期キャリア生成部３６側に切替える。この結果、ＰＬＬ同期キャリア生成部３６で生成された同期キャリア信号が選択されて映像信号変調部２１へ送られる。
【００４３】
映像信号変調部２１は、デジタル放送復調部１２で復調された映像信号で上記ＰＬＬ同期キャリア生成部３６で生成された同期キャリア信号をアナログ変調し、周波数変換部２３へ出力する。周波数変換部２３は、映像信号変調部２１で変調された映像信号及び音声信号変調部２２（図１参照）で変調された音声信号を混合した後、更にローカル信号発生部２４から出力されるローカル信号を混合し、入力端子３１に入力されたアナログＴＶ放送波と同じ周波数に変換し、バンドパスフィルタ２５を介して出力端子２６から図１に示した出力混合部１５へ出力する。
【００４４】
また、上記アナログＴＶ信号判定部３９は、ＡＭ信号復調部３８で復調された信号がアナログＴＶ信号ではないと判定した場合には、切替スイッチ３７を内部キャリア発生部４０側に切替える。この結果、内部キャリア発生部４０で生成された内部キャリア信号が選択されて映像信号変調部２１へ送られる。映像信号変調部２１は、デジタル放送復調部１２で復調された映像信号で内部キャリア発生部４０で生成された内部キャリア信号をアナログ変調し、周波数変換部２３へ出力する。
【００４５】
上記実施例１で示したように、キャリア抽出部１４におけるＩＦ  ＢＰＦとして映像中間周波バンドパスフィルタ３４を使用することにより、±１０ｋＨｚ、±２０ｋＨｚのオフセットが掛かっている信号でも減衰することがなく、オフセット信号にそのまま対応でき、映像復調が可能な信号を取り出すことができる。そして、この映像中間周波バンドパスフィルタ３４の出力信号中に含まれるＡＭ変調成分をリミッタ増幅器３５により除去してＰＬＬ同期キャリア生成部３６へ出力することにより、オフセットされているアナログＴＶ放送波であっても、調整することなく同期キャリア信号を生成することができる。従って、アナログＴＶ放送波が一定量オフセットされている場合であっても、また、オフセット量が確定していない場合であっても、復調された映像信号で上記同期キャリア信号をアナログ変調し、再送信信号として出力することができる。
【００４６】
また、上記同期キャリア信号がアナログＴＶ放送波のものかどうかをアナログＴＶ信号判定部３９により自動的に判定し、アナログＴＶ放送波の場合のみＰＬＬ同期キャリア生成部３６で生成した同期キャリア信号に同期したアナログ変調を行う信号同期回路を有効とし、それ以外の場合は信号同期回路を無効とすることにより、アナログＴＶ信号以外の信号が入力された場合における誤動作を確実に防止することができる。
【００４７】
また、アナログＴＶ信号判定部３９により同期キャリア信号がアナログＴＶ放送波のものではないと判定された場合は、切替スイッチ３７を内部キャリア発生部４０側に切替え、該内部キャリア発生部４０で発生させた内部キャリア信号をキャリア（搬送波）としてアナログ変調することにより、障害を回避しながら再送信動作を継続することができる。
【００４８】
また、本発明は、上記実施の形態そのままに限定されるものではなく、実施段階ではその要旨を逸脱しない範囲で構成要素を変形して具体化できるものである。
【符号の説明】
【００４９】
１０…再送信装置、１１…入力分配部、１２，１２ａ、１２ｂ…デジタル放送復調部、１３、１３ａ、１３ｂ…アナログ変調部、１４、１４ａ、１４ｂ…キャリア抽出部、１５…出力混合部、１６…デジタルパススルー回路、２１…映像信号変調部、２２…音声信号変調部、２３…周波数変換部、２４…ローカル信号発生部、２５…バンドパスフィルタ（ＢＰＦ）、２６…出力端子、３１…入力端子、３２…バンドパスフィルタ（ＢＰＦ）、３３…周波数変換部、３４…映像中間周波バンドパスフィルタ、３５…リミッタ増幅器、３６…ＰＬＬ同期キャリア生成部、３７…切替スイッチ、３８…ＡＭ信号復調部、３９…ＴＶ信号判定部、４０…内部キャリア発生部。
【図１】
2011019181.tif 000003
【図２】
2011019181.tif 000004